【事件の表示】
　特願２０１５−２２０１６４「遊技機」拒絶査定不服審判事件〔平成２８年　２月１８日出願公開、特開２０１６−　２６８３５〕について、次のとおり審決する。
【結　論】
　本件審判の請求は、成り立たない。
【理　由】
１　手続の経緯
　本願は、平成２６年４月２５日に出願した特願２０１４−９１２４４号の一部を平成２７年１１月１０日に新たな特許出願（特願２０１５−２２０１６４号）としたものであって、平成２８年１１月４日付けで拒絶の理由が通知され、平成２８年１２月１９日に意見書及び手続補正書が提出されたところ、平成２９年３月１５日付けで拒絶査定がなされ、それに対して、平成２９年６月５日に拒絶査定不服審判の請求がなされると同時に特許請求の範囲に係る手続補正がなされ、これに対し、当審において、平成２９年１２月６日付けで拒絶の理由が通知され、平成３０年１月１０日に意見書及び手続補正書が提出されたものである。
２　本願発明
　平成３０年１月１０日付け手続補正書により補正された特許請求の範囲の請求項１に係る発明は、その請求項１に記載された事項により特定されるとおりであるところ、その請求項１に係る発明（以下「本願発明」という。）は、次のとおりのものである（下線部は補正箇所を示す。また、Ａ〜Ｉは、分説するために当審にて付した。）。
「【請求項１】
Ａ　取得条件の成立により取得された判定情報に基づき遊技者に有利な特別遊技を行うか否かの特別遊技判定を行う特別遊技判定手段と、
Ｂ　前記特別遊技判定の権利を記憶可能な記憶手段と、
Ｃ　前記特別遊技判定が行われる前に前記特別遊技を行うか否かの事前判定を行う事前判定手段と、
Ｄ　所定の演出を行わせる演出制御手段と、を備え、
Ｅ　前記演出制御手段は、前記取得条件が成立した順に、前記権利が保留されていることを示す保留画像を表示手段に表示する保留表示手段と、前記取得条件の成立に基づいて、複数の特殊保留画像を用いた保留表示演出の実行を決定可能な保留演出決定手段と、を有し、
Ｆ　前記保留表示手段は、
　前記保留演出決定手段により前記保留表示演出の実行が決定された場合、前記取得条件が成立する毎に、前記保留画像として、各特殊保留画像を前記表示手段に順次表示することが可能であり、
Ｇ　前記保留表示演出において、前記複数の特殊保留画像を表示するときと、前記複数の特殊保留画像の内、１以上の特殊保留画像まで表示して前記複数の特殊保留画像を表示しないときと、があり、
Ｈ　前記保留画像として通常保留画像又は前記特殊保留画像を表示することを可能とし、
Ｉ　
前記保留表示演出により前記１以上の特殊保留画像まで表示しているときに前記取得条件が成立した際、当該成立に基づく保留画像として、新たに特殊保留画像を表示する場合と前記通常保留画像を表示する場合とがある
ことを特徴とする遊技機。」
３　拒絶理由通知の概要
　平成２９年１２月６日付け拒絶理由通知は、本願発明は、特開２０１１−２０７号公報に記載された発明であるか、特開２０１１−２０７号公報に記載された発明に基づいて当業者が容易に発明をすることができたものであるから、特許法第２９条第１項第３号及び特許法第２９条第２項の規定により特許を受けることができないというものである。
４　刊行物
（１）刊行物１に記載された発明
　本願の出願遡及日前に頒布され、平成２９年１２月６日付け拒絶理由通知で引用された刊行物である特開２０１１−２０７号公報（以下、「刊行物１」という。）には、図面とともに次の事項が記載されている（下線は、当審にて付した。以下、同じ。）。
（１−ａ）　「【００１８】
　
パチンコ遊技機１
（１−ｂ）　「【００２４】
　遊技領域７の中央付近には、液晶表示装置（ＬＣＤ）で構成された演出表示装置９が設けられている。演出表示装置９では、第１特別図柄または第２特別図柄の可変表示に同期した演出図柄（飾り図柄）の可変表示（変動）が行われる。よって、演出表示装置９は、識別情報としての飾り図柄の可変表示を行う可変表示装置に相当する。演出表示装置９は、演出制御基板に搭載されている演出制御用マイクロコンピュータによって制御される。
演出制御用マイクロコンピュータが、第１特別図柄表示器８ａで第１特別図柄の可変表示が実行されているときに、その可変表示に伴って演出表示装置９を用いて演出表示を実行し、第２特別図柄表示器８ｂで第２特別図柄の可変表示が実行されているときに、その可変表示に伴って演出表示装置９を用いて演出表示を実行する
（１−ｃ）　「【００５４】
　演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、
演出制御用ＣＰＵ１０１は、演出制御コマンドにもとづいて、ＶＤＰ（ビデオディスプレイプロセッサ）１０９に演出表示装置９の表示制御を行わせる。
（１−ｄ）　「【０１６６】
　図２０は、主基板３１に搭載される遊技制御用マイクロコンピュータ５６０（具体的には、ＣＰＵ５６）が実行する特別図柄プロセス処理（ステップＳ２６）のプログラムの一例を示すフローチャートである。上述したように、特別図柄プロセス処理では第１特別図柄表示器８ａまたは第２特別図柄表示器８ｂおよび大入賞口を制御するための処理が実行される。特別図柄プロセス処理において、
ＣＰＵ５６は、第１始動入賞口１３または第２始動入賞口１４に遊技球が入賞したか否か判定する始動口スイッチ通過処理を実行する（ステップＳ３２１）。そして、内部状態に応じて、ステップＳ３００〜Ｓ３１０のうちのいずれかの処理を行う。
【０１６７】
　ステップＳ３００〜Ｓ３１０の処理は、以下のような処理である。
【０１６８】
　
特別図柄通常処理（ステップＳ３００）
（１−ｅ）　「【０１７９】
　図２１は、ステップＳ３２１の始動口スイッチ通過処理を示すフローチャートである。
始動口スイッチ通過処理において、ＣＰＵ５６は、第１始動口スイッチ１３ａがオンしたか否かを確認する（ステップＳ２１０Ａ）。第１始動口スイッチ１３ａがオンしていれば、ＣＰＵ５６は、第１保留記憶数をカウントするための第１保留記憶数カウンタの値が上限値である４であるか否かを確認する（ステップＳ２１１Ａ）。第１保留記憶数カウンタの値が４であれば、ステップＳ２１０Ｂに移行する。
【０１８０】
　
第１保留記憶数が上限値に達していない場合には、
ＣＰＵ５６は、乱数回路５０３やソフトウェア乱数を生成するためのカウンタから値を抽出し、それらを、第１保留記憶バッファ（図２２参照）における保存領域に格納する処理を実行する（ステップＳ２１４Ａ）。
ハードウェア乱数であるランダムＲ（大当り判定用乱数）
が抽出され、保存領域に格納される。
【０１８１】
　図２２および図２３は、保留記憶に対応する乱数等を保存する領域（保留バッファ）の構成例を示す説明図である。図２２に示すように、
第１保留記憶バッファには、第１保留記憶数の上限値（この例では４）に対応した保存領域が確保されている。また、図２３に示すように、第２保留記憶バッファには、第２保留記憶数の上限値（この例では４）に対応した保存領域が確保されている。
第１保留記憶バッファおよび第２保留記憶バッファには、ハードウェア乱数であるランダムＲ（大当り判定用乱数）
が記憶される。
【０１８２】
　次いで、ＣＰＵ５６は、第１特別図柄保留記憶表示器１８ａの点灯個数を１増やす（ステップＳ２１５Ａ）。また、
第１保留記憶数加算指定コマンドを演出制御用マイクロコンピュータ１００に送信する制御を行う（ステップＳ２１６Ａ）
・・・
【０１８９】
　
ステップＳ２１０Ｂでは、ＣＰＵ５６は、第２始動口スイッチ１４ａがオンしたか否かを確認する。第２始動口スイッチ１４ａがオンしていれば、ＣＰＵ５６は、第２保留記憶数をカウントするための第２保留記憶数カウンタの値が上限値である４であるか否かを確認する（ステップＳ２１１Ｂ）。
【０１９０】
　
第２保留記憶数が上限値に達していない場合には、
ＣＰＵ５６は、乱数回路５０３やソフトウェア乱数を生成するためのカウンタから値を抽出し、それらを、第２保留記憶バッファ（図２３参照）における保存領域に格納する処理を実行する（ステップＳ２１４Ｂ）。
ハードウェア乱数であるランダムＲ（大当り判定用乱数）
が抽出され、保存領域に格納される。
【０１９１】
　次いで、ＣＰＵ５６は、第２特別図柄保留記憶表示器１８ｂの点灯個数を１増やす（ステップＳ２１５Ｂ）。また、
第２保留記憶数加算指定コマンドを演出制御用マイクロコンピュータ１００に送信する制御を行う（ステップＳ２１６Ｂ）。
（１−ｆ）　「【０１９３】
　図２４は、ステップＳ２１９Ａ，Ｓ２１９Ｂの入賞時判定処理を示すフローチャートである。
入賞時判定処理では、ＣＰＵ５６は、まず、ステップＳ２１４Ａ，Ｓ２１４Ｂの処理で抽出されて保存されている大当り判定用乱数（ランダムＲ）と図８（Ａ）の左欄に示す通常時の大当り判定値とを比較し、それらが一致するか否かを確認する（ステップＳ２２１）。
特別図柄および飾り図柄の変動を開始するタイミングで、特別図柄通常処理において大当りや小当りとするか否か、大当り種別を決定したり、変動パターン設定処理において変動パターンを決定したりするのである
その始動入賞にもとづく変動表示が開始される前に、入賞時判定処理を実行することによって、大当りになるか否か判定する
（１−ｇ）　「【０２５８】
　図３２に示す例では、
連続予告演出を実行するとの判定の判定対象になった保留記憶が発生（始動入賞が生じたことに相当）した後に発生する４つの保留記憶の表示を用いて連続予告演出が実行される例であるが、判定対象になった保留記憶が発生した後に発生する４つ未満の保留記憶の表示を用いて連続予告演出を実行してもよい。
【０２５９】
　
図３３に示す例では、３つの保留記憶の表示を用いて連続予告演出が実行される。
【０２６０】
　その後、
飾り図柄の変動中に（図３３（Ｂ），（Ｃ）参照）、保留記憶が１つ増えて（３→４に増加）、４つ目の保留記憶の表示が連続予告演出の態様（図３３（Ｃ）に示す例では「熱」）で表示される。
保留記憶が１つ増えて（３→４に増加）、４つ目の保留記憶の表示が連続予告演出の態様（図３３（Ｆ）に示す例では「い」）で表示される。
【０２６１】
　さらに、飾り図柄の変動が終了した後（図３３（Ｇ）参照）、次に実行される飾り図柄の変動中に（図３３（Ｈ），（Ｉ）参照）、
保留記憶が１つ増えて（３→４に増加）、４つ目の保留記憶の表示が連続予告演出の態様（図３３（Ｉ）に示す例では「！」）で表示される。
【０２６２】
　また、この実施の形態では、遊技状態が高ベース状態（確変状態または時短状態に相当）であるときには、４つの保留記憶の表示を用いて連続予告演出が実行され、低ベース状態であるときには、高ベース状態であるときに比べて少ない個数である３つの保留記憶の表示を用いて連続予告演出が実行される。高ベース状態であるときには、低ベース状態（低確率状態であって時短状態ではない状態に相当）であるときに比べて保留数が増加しやすいので、より多くの保留記憶の表示を用いて連続予告演出を実行するようにしても、連続予告演出が完結しない（例えば、図３２に示す例では、「！」を表示する前出に至らない。）可能性は低い。なお、連続予告演出において使用される保留記憶の表示の個数は３つまたは４つに限られない。また、遊技状態が確変状態であるときには、非確変状態（低確率状態）であるときに比べて多い個数の保留記憶の表示を用いて連続予告演出を行うようにしてもよい。」
（１−ｈ）　「【０２７２】
　また、
図３２〜図３６に示された例では、連続予告演出は完結しているが、連続予告演出が完結しないこともありうる。
（１−ｉ）　「【０２８９】
　
受信した演出制御コマンドが第１保留記憶数加算指定コマンドであれば（ステップＳ６５１）、演出制御用ＣＰＵ１０１は、ＲＡＭにおける第１保留記憶数保存領域に格納する第１保留記憶数の値を１加算する（ステップＳ６５２）。
更新後の第１保留記憶数に従って、第１保留記憶数表示部１８ｃにおける第１保留記憶数の表示を更新する（ステップＳ６５４）。すなわち、表示される画像（例えば、丸印）の数が１増やされる。
【０２９０】
　
受信した演出制御コマンドが第２保留記憶数加算指定コマンドであれば（ステップＳ６５６）、演出制御用ＣＰＵ１０１は、第２保留記憶数保存領域に格納する第２保留記憶数の値を１加算する（ステップＳ６５７）。
更新後の第２保留記憶数に従って、第２保留記憶数表示部１８ｄにおける第２保留記憶数の表示を更新する（ステップＳ６５９）。すなわち、表示される画像（例えば、丸印）の数が１増やされる。
（１−ｊ）　「【０２９９】
　
図４４は、図３７に示されたメイン処理における保留記憶制御処理（ステップＳ７０７）を示すフローチャートである。
・・・
【０３０２】
　
第１予告回数カウンタの値が０でない場合には、第１予告回数カウンタの値が４になっていないことを条件として（ステップＳ９５５）、遊技状態、可変表示の表示結果および第１予告回数カウンタの値に応じた連続予告演出を実行する（ステップＳ９５６）。そして、第１予告回数カウンタの値を＋１する（ステップＳ９５７）。
【０３０３】
　
なお、第１予告回数カウンタの値が４になっていないことを条件として連続予告演出を実行する理由は、低ベース状態では、連続予告演出は３つの保留表示を用いた演出だからである。第１予告回数カウンタの値が４になっているということは、既に３つの保留表示を用いた演出が実行されたことを意味する。
（１−ｋ）　「【０３３３】
　
図４７は、連続予告演出決定処理（ステップＳ８１１）を示すフローチャートである。
・・・
【０３３９】
　次いで、
演出制御用ＣＰＵ１０１は、予告決定用乱数の値を抽出し、最新の入賞時判定結果と予告決定用乱数の値とにもとづいて、連続予告演出を実行するか否かを決定する（ステップＳ６００５）。
・・・
【０３４２】
　
予告することに決定した場合には（ステップＳ６００６）、演出制御用ＣＰＵ１０１は、第１予告演出実行フラグまたは第２予告演出実行フラグをセットする（ステップＳ６００７）。
現在の保留記憶数を変動回数カウンタ（ＲＡＭの一領域）にセットする（ステップＳ６００９）。なお、ステップＳ６００８の処理では、演出制御用ＣＰＵ１０１は、ステップＳ６００７の処理で第１予告演出実行フラグをセットした場合には、第１予告回数カウンタを０に初期化し、第２予告演出実行フラグをセットした場合には、第２予告回数カウンタを０に初期化する。
また、ステップＳ６００９の処理では、演出制御用ＣＰＵ１０１は、ステップＳ６００７の処理で第１予告演出実行フラグをセットした場合には、第１保留記憶数を変動回数カウンタにセットし、第２予告演出実行フラグをセットした場合には、第２保留記憶数を変動回数カウンタにセットする。
（１−ｌ）　「【０３６９】
　
図５６および図５７は、図４６に示された演出制御プロセス処理における飾り図柄変動停止処理（ステップＳ８０３）を示すフローチャートである。
いずれかの予告演出実行フラグ（第１予告演出実行フラグまたは第２予告演出実行フラグ）がセットされている場合には（ステップＳ８４３）、変動回数カウンタの値を−１した後（ステップＳ８４４）、変動回数カウンタの値を確認し、変動回数カウンタの値が０になっている場合には（ステップＳ８４５）、保留記憶数表示部における表示の態様を通常の態様（予告演出の態様ではない態様）に変更する（ステップＳ８４６）。すなわち、保留記憶数を報知する態様に戻す。そして、セットされている予告演出実行フラグ（第１予告演出実行フラグまたは第２予告演出実行フラグ）をリセットする（ステップＳ８４７）。
　上記（１−ａ）〜（１−ｌ）の記載事項から、以下（１−ｍ）〜（１−ｒ）の事項が導かれる。
（１−ｍ）刊行物１には、「始動口スイッチ通過処理において、ＣＰＵ５６は、第１始動口スイッチ１３ａがオンしたか否かを確認する（ステップＳ２１０Ａ）。第１始動口スイッチ１３ａがオンしていれば、ＣＰＵ５６は、第１保留記憶数をカウントするための第１保留記憶数カウンタの値が上限値である４であるか否かを確認する（ステップＳ２１１Ａ）。第１保留記憶数カウンタの値が４であれば、ステップＳ２１０Ｂに移行する。」（段落【０１７９】）、「第１保留記憶数が上限値に達していない場合には、・・・ＣＰＵ５６は、乱数回路５０３やソフトウェア乱数を生成するためのカウンタから値を抽出し、それらを、第１保留記憶バッファ（図２２参照）における保存領域に格納する処理を実行する（ステップＳ２１４Ａ）。・・・ハードウェア乱数であるランダムＲ（大当り判定用乱数）・・・が抽出され、保存領域に格納される。」（段落【０１８０】）、「第１保留記憶数加算指定コマンドを演出制御用マイクロコンピュータ１００に送信する制御を行う（ステップＳ２１６Ａ）。」（段落【０１８２】）と記載されているから、刊行物１には、第１始動口スイッチ１３ａがオンし、第１保留記憶数が上限値に達していない場合には大当り判定用乱数を抽出し、第１保留記憶数加算指定コマンドを送信する点が記載されているといえる。
　刊行物１には、「ステップＳ２１０Ｂでは、ＣＰＵ５６は、第２始動口スイッチ１４ａがオンしたか否かを確認する。第２始動口スイッチ１４ａがオンしていれば、ＣＰＵ５６は、第２保留記憶数をカウントするための第２保留記憶数カウンタの値が上限値である４であるか否かを確認する（ステップＳ２１１Ｂ）。」（段落【０１８９】）、「第２保留記憶数が上限値に達していない場合には、・・・ＣＰＵ５６は、乱数回路５０３やソフトウェア乱数を生成するためのカウンタから値を抽出し、それらを、第２保留記憶バッファ（図２３参照）における保存領域に格納する処理を実行する（ステップＳ２１４Ｂ）。・・・ハードウェア乱数であるランダムＲ（大当り判定用乱数）・・・が抽出され、保存領域に格納される。」（段落【０１９０】）、「第２保留記憶数加算指定コマンドを演出制御用マイクロコンピュータ１００に送信する制御を行う（ステップＳ２１６Ｂ）。」（段落【０１９１】）と記載されているから、刊行物１には、第２始動口スイッチ１４ａがオンし、第２保留記憶数が上限値に達していない場合には大当り判定用乱数を抽出し、第２保留記憶数加算指定コマンドを送信する点が記載されているといえる。
　上記段落【０１９３】には、「特別図柄および飾り図柄の変動を開始するタイミングで、特別図柄通常処理において大当りや小当りとするか否か、大当り種別を決定したり、変動パターン設定処理において変動パターンを決定したりするのである」と記載されており、また、段落【０１６６】の「ＣＰＵ５６は、第１始動入賞口１３または第２始動入賞口１４に遊技球が入賞したか否か判定する始動口スイッチ通過処理を実行する（ステップＳ３２１）。そして、内部状態に応じて、ステップＳ３００〜Ｓ３１０のうちのいずれかの処理を行う。」及び、段落【０１６８】の「特別図柄通常処理（ステップＳ３００）」との記載より、特別図柄通常処理はＣＰＵ５６が実行するものであるから、刊行物１には、ＣＰＵ５６は、特別図柄通常処理において特別図柄および飾り図柄の変動を開始するタイミングで、大当りとするか否かを決定する点が記載されているといえる。さらに、上記段落【０１９３】には、「入賞時判定処理では、ＣＰＵ５６は、まず、ステップＳ２１４Ａ，Ｓ２１４Ｂの処理で抽出されて保存されている大当り判定用乱数（ランダムＲ）と図８（Ａ）の左欄に示す通常時の大当り判定値とを比較し、それらが一致するか否かを確認する（ステップＳ２２１）。」と記載されており、特別図柄通常処理における大当りとするか否かの決定においても、大当り判定用乱数と大当り判定値とを比較していることは、明らかである。
　以上より、刊行物１には、
第１始動口スイッチ１３ａがオンし、第１保留記憶数が上限値に達していない場合には大当り判定用乱数を抽出し、第１保留記憶数加算指定コマンドを送信し、第２始動口スイッチ１４ａがオンし、第２保留記憶数が上限値に達していない場合には大当り判定用乱数を抽出し、第２保留記憶数加算指定コマンドを送信し、特別図柄および飾り図柄の変動を開始するタイミングで、特別図柄通常処理において大当り判定用乱数と大当り判定値とを比較し、大当りとするか否かを決定するＣＰＵ５６の機能
（１−ｎ）刊行物１には、「受信した演出制御コマンドが第１保留記憶数加算指定コマンドであれば（ステップＳ６５１）、演出制御用ＣＰＵ１０１は、ＲＡＭにおける第１保留記憶数保存領域に格納する第１保留記憶数の値を１加算する（ステップＳ６５２）。・・・更新後の第１保留記憶数に従って、第１保留記憶数表示部１８ｃにおける第１保留記憶数の表示を更新する（ステップＳ６５４）。すなわち、表示される画像（例えば、丸印）の数が１増やされる。」（段落【０２８９】）、「受信した演出制御コマンドが第２保留記憶数加算指定コマンドであれば（ステップＳ６５６）、演出制御用ＣＰＵ１０１は、第２保留記憶数保存領域に格納する第２保留記憶数の値を１加算する（ステップＳ６５７）。・・・更新後の第２保留記憶数に従って、第２保留記憶数表示部１８ｄにおける第２保留記憶数の表示を更新する（ステップＳ６５９）。すなわち、表示される画像（例えば、丸印）の数が１増やされる。」（段落【０２９０】）と記載されているから、刊行物１には、演出制御用ＣＰＵ１０１は、第１保留記憶数加算指定コマンド又は第２保留記憶数加算指定コマンドを受信すると、第１保留記憶数表示部１８ｃ又は第２保留記憶数表示部１８ｄにおける保留記憶数の表示を更新し、表示される画像の数を１増やす点が記載されているといえる。
　また、刊行物１には、「演出制御用ＣＰＵ１０１は、予告決定用乱数の値を抽出し、最新の入賞時判定結果と予告決定用乱数の値とにもとづいて、連続予告演出を実行するか否かを決定する（ステップＳ６００５）。」（段落【０３３９】）、「予告することに決定した場合には（ステップＳ６００６）、演出制御用ＣＰＵ１０１は、第１予告演出実行フラグまたは第２予告演出実行フラグをセットする（ステップＳ６００７）。・・・また、ステップＳ６００９の処理では、演出制御用ＣＰＵ１０１は、ステップＳ６００７の処理で第１予告演出実行フラグをセットした場合には、第１保留記憶数を変動回数カウンタにセットし、第２予告演出実行フラグをセットした場合には、第２保留記憶数を変動回数カウンタにセットする。」（段落【０３４２】）と記載されているから、刊行物１には、演出制御用ＣＰＵ１０１は、連続予告演出を実行するか否かを決定し、連続予告演出を実行すると決定した場合には、第１保留記憶数又は第２保留記憶数を変動回数カウンタにセットする点が記載されているといえる。さらに、連続予告演出に関して、刊行物１には、「連続予告演出を実行するとの判定の判定対象になった保留記憶が発生（始動入賞が生じたことに相当）した後に発生する４つの保留記憶の表示を用いて連続予告演出が実行される例であるが、判定対象になった保留記憶が発生した後に発生する４つ未満の保留記憶の表示を用いて連続予告演出を実行してもよい。」（段落【０２５８】）、「図３３に示す例では、３つの保留記憶の表示を用いて連続予告演出が実行される。」（段落【０２５９】）、「保留記憶の表示が連続予告演出の態様（図３３（Ｃ）に示す例では「熱」）で表示される。」（段落【０２６０】）と記載されているから、連続予告演出は、判定対象になった保留記憶が発生した後に発生する３つ又は４つの保留記憶の表示を連続予告演出の態様で表示する演出であるといえる。
　以上より、刊行物１には、
演出制御用ＣＰＵ１０１は、第１保留記憶数加算指定コマンド又は第２保留記憶数加算指定コマンドを受信すると、第１保留記憶数表示部１８ｃ又は第２保留記憶数表示部１８ｄにおける保留記憶数の表示を更新し、表示される画像の数を１増やす機能と、判定対象になった保留記憶が発生した後に発生する３つ又は４つの保留記憶の表示を連続予告演出の態様で表示する連続予告演出を実行するか否かを決定し、連続予告演出を実行すると決定した場合には、第１保留記憶数又は第２保留記憶数を変動回数カウンタにセットする機能とを有する
（１−ｏ）刊行物１には、「図３３に示す例では、３つの保留記憶の表示を用いて連続予告演出が実行される。」（段落【０２５９】）、「飾り図柄の変動中に（図３３（Ｂ），（Ｃ）参照）、保留記憶が１つ増えて（３→４に増加）、４つ目の保留記憶の表示が連続予告演出の態様（図３３（Ｃ）に示す例では「熱」）で表示される。・・・保留記憶が１つ増えて（３→４に増加）、４つ目の保留記憶の表示が連続予告演出の態様（図３３（Ｆ）に示す例では「い」）で表示される。」（段落【０２６０】）、「保留記憶が１つ増えて（３→４に増加）、４つ目の保留記憶の表示が連続予告演出の態様（図３３（Ｉ）に示す例では「！」）で表示される。」（段落【０２６１】）と記載されているから、連続予告演出が実行される場合には、保留記憶が１つ増える毎に、保留記憶の表示が連続予告演出の態様で表示されることは明らかである。さらに、上記段落【００５４】には「演出制御用ＣＰＵ１０１は、演出制御コマンドにもとづいて、ＶＤＰ（ビデオディスプレイプロセッサ）１０９に演出表示装置９の表示制御を行わせる。」と記載されており、表示制御を行うのは演出制御用ＣＰＵ１０１であるから、刊行物１には、
演出制御用ＣＰＵ１０１は、連続予告演出を実行する場合、保留記憶が１つ増える毎に、保留記憶の表示を連続予告演出の態様で表示する
（１−ｐ）上記（１−ｎ）で示した通り、連続予告演出は３つ又は４つの保留記憶の表示が連続予告演出の態様で表示される演出であり、上記段落【０２７２】には、「図３２〜図３６に示された例では、連続予告演出は完結しているが、連続予告演出が完結しないこともありうる。」と記載されているから、刊行物１には、連続予告演出が完結し、３つ又は４つの保留記憶の表示が連続予告演出の態様で表示される場合と、連続予告演出が完結しない場合とがある点が記載されているといえる。
　また、上記段落【０３６９】には、「図５６および図５７は、図４６に示された演出制御プロセス処理における飾り図柄変動停止処理（ステップＳ８０３）を示すフローチャートである。・・・いずれかの予告演出実行フラグ（第１予告演出実行フラグまたは第２予告演出実行フラグ）がセットされている場合には（ステップＳ８４３）、変動回数カウンタの値を−１した後（ステップＳ８４４）、変動回数カウンタの値を確認し、変動回数カウンタの値が０になっている場合には（ステップＳ８４５）、保留記憶数表示部における表示の態様を通常の態様（予告演出の態様ではない態様）に変更する（ステップＳ８４６）。すなわち、保留記憶数を報知する態様に戻す。そして、セットされている予告演出実行フラグ（第１予告演出実行フラグまたは第２予告演出実行フラグ）をリセットする（ステップＳ８４７）。」と記載されているから、飾り図柄変動停止処理において変動回数カウンタの値が−１され、変動回数カウンタの値が０となると、保留記憶数表示部における表示の態様が通常の態様に変更され、以降の保留記憶については、連続予告演出が行われないといえる。そして、上記連続予告演出が完結しない場合とは、飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合であることは、明らかである。
　以上より、刊行物１には、
連続予告演出が完結し、３つ又は４つの保留記憶の表示が連続予告演出の態様で表示される場合と、飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合とがある
（１−ｑ）上記段落【０２６０】には「連続予告演出の態様」、上記段落【０３６９】には、「保留記憶数表示部における表示の態様を通常の態様（予告演出の態様ではない態様）に変更する（ステップＳ８４６）。」と記載されているから、刊行物１には、
保留記憶の表示は、通常の態様とする場合と、連続予告演出の態様とする場合がある
（１−ｒ）刊行物１には、「図４４は、図３７に示されたメイン処理における保留記憶制御処理（ステップＳ７０７）を示すフローチャートである。」（段落【０２９９】）、「第１予告回数カウンタの値が０でない場合には、第１予告回数カウンタの値が４になっていないことを条件として（ステップＳ９５５）、遊技状態、可変表示の表示結果および第１予告回数カウンタの値に応じた連続予告演出を実行する（ステップＳ９５６）。そして、第１予告回数カウンタの値を＋１する（ステップＳ９５７）。」（段落【０３０２】）、「なお、第１予告回数カウンタの値が４になっていないことを条件として連続予告演出を実行する理由は、低ベース状態では、連続予告演出は３つの保留表示を用いた演出だからである。第１予告回数カウンタの値が４になっているということは、既に３つの保留表示を用いた演出が実行されたことを意味する。」（段落【０３０３】）と記載されているから、刊行物１には、
３つの保留表示を用いた連続予告演出を実行する場合、保留記憶制御処理において、第１予告回数カウンタの値が、既に３つの保留表示を用いた演出が実行されたことを意味する４になっていないことを条件として連続予告演出を実行し、第１予告回数カウンタの値を＋１する
　上記（１−ａ）〜（１−ｌ）の記載事項及び（１−ｍ）〜（１−ｒ）の認定事項を総合すると、刊行物１には、次の発明（以下「刊行物１発明」という。）が記載されていると認められる（ａ〜ｉは、本願発明のＡ〜Ｉに対応させて付した。）。
「ａ　第１始動口スイッチ１３ａがオンし、第１保留記憶数が上限値に達していない場合には大当り判定用乱数を抽出し、第１保留記憶数加算指定コマンドを送信し、第２始動口スイッチ１４ａがオンし、第２保留記憶数が上限値に達していない場合には大当り判定用乱数を抽出し、第２保留記憶数加算指定コマンドを送信し、特別図柄および飾り図柄の変動を開始するタイミングで、特別図柄通常処理において大当り判定用乱数と大当り判定値とを比較し、大当りとするか否かを決定するＣＰＵ５６の機能と、（認定事項（１−ｍ））
ｂ　抽出した保留記憶に対応する大当り判定用乱数を格納する保存領域と、（段落【０１８１】）
ｃ　その始動入賞にもとづく変動表示が開始される前に、入賞時判定処理を実行することによって、大当りになるか否か判定するＣＰＵ５６の機能と、（段落【０１９３】）
ｄ　演出表示装置９を用いて演出表示を実行する演出制御用ＣＰＵ１０１と、を備え、（段落【００２４】、【００５４】）
ｅ　演出制御用ＣＰＵ１０１は、第１保留記憶数加算指定コマンド又は第２保留記憶数加算指定コマンドを受信すると、第１保留記憶数表示部１８ｃ又は第２保留記憶数表示部１８ｄにおける保留記憶数の表示を更新し、表示される画像の数を１増やす機能と、判定対象になった保留記憶が発生した後に発生する３つ又は４つの保留記憶の表示を連続予告演出の態様で表示する連続予告演出を実行するか否かを決定し、連続予告演出を実行すると決定した場合には、第１保留記憶数又は第２保留記憶数を変動回数カウンタにセットする機能と、を有し、（認定事項（１−ｎ））
ｆ　演出制御用ＣＰＵ１０１は、
　連続予告演出を実行する場合、保留記憶が１つ増える毎に、保留記憶の表示を連続予告演出の態様で表示し、（認定事項（１−ｏ））
ｇ　連続予告演出が完結し、３つ又は４つの保留記憶の表示が連続予告演出の態様で表示される場合と、飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合とがあり、（認定事項（１−ｐ））
ｈ　保留記憶の表示は、通常の態様とする場合と、連続予告演出の態様とする場合があり、（認定事項（１−ｑ））
ｉ　３つの保留表示を用いた連続予告演出を実行する場合、保留記憶制御処理において、第１予告回数カウンタの値が、既に３つの保留表示を用いた演出が実行されたことを意味する４になっていないことを条件として連続予告演出を実行し、第１予告回数カウンタの値を＋１する、パチンコ遊技機１（段落【００１８】、（認定事項（１−ｒ））」
５　対比、判断
（１）対比
　本願発明と刊行物１発明とを対比する（下記の（ａ）〜（ｉ）は、刊行物１発明の構成に対応している。）。
（ａ）刊行物１発明において、「第１始動口スイッチ１３ａがオンし、第１保留記憶数が上限値に達していない場合」及び「第２始動口スイッチ１４ａがオンし、第２保留記憶数が上限値に達していない場合」は、共に本願発明の「取得条件」が「成立」した場合に相当するから、刊行物１発明の「第１始動口スイッチ１３ａがオンし、第１保留記憶数が上限値に達していない場合」及び「第２始動口スイッチ１４ａがオンし、第２保留記憶数が上限値に達していない場合」に抽出される「大当り判定用乱数」は、本願発明の「取得条件の成立により取得された判定情報」に相当する。
　また、刊行物１発明において「大当り判定用乱数と大当り判定値とを比較し、大当りとするか否かを決定する」ことは、本願発明において「判定情報に基づき遊技者に有利な特別遊技を行うか否かの特別遊技判定を行う」ことに相当する。
　したがって、刊行物１発明の「第１始動口スイッチ１３ａがオンし、第１保留記憶数が上限値に達していない場合には大当り判定用乱数を抽出し、第１保留記憶数加算指定コマンドを送信し、第２始動口スイッチ１４ａがオンし、第２保留記憶数が上限値に達していない場合には大当り判定用乱数を抽出し、第２保留記憶数加算指定コマンドを送信し、特別図柄および飾り図柄の変動を開始するタイミングで、特別図柄通常処理において大当り判定用乱数と大当り判定値とを比較し、大当りとするか否かを決定するＣＰＵ５６の機能」は、本願発明の「取得条件の成立により取得された判定情報に基づき遊技者に有利な特別遊技を行うか否かの特別遊技判定を行う特別遊技判定手段」の機能に相当する。
（ｂ）　刊行物１発明の「抽出した保留記憶に対応する大当り判定用乱数」、「格納」及び「保存領域」は、それぞれ、本願発明の「前記特別遊技判定の権利」、「記憶」及び「記憶手段」に相当する。
　したがって、刊行物１発明の「抽出した保留記憶に対応する大当り判定用乱数を格納する保存領域」は、本願発明の「前記特別遊技判定の権利を記憶可能な記憶手段」に相当する。
（ｃ）刊行物１発明において、「入賞時判定処理を実行することによって、大当りになるか否か判定する」ことは、「その始動入賞にもとづく変動表示が開始される前に」行われるものであるから、「特別図柄および飾り図柄の変動を開始するタイミング」で行われる「特別図柄通常処理において大当り判定用乱数と大当り判定値とを比較し、大当りとするか否かを決定する」（構成ａ）よりも前に行われることは明らかである。また、刊行物発明の「入賞時判定処理を実行することによって、大当りになるか否か判定する」ことは、本願発明の「前記特別遊技を行うか否かの事前判定を行う」ことに相当する。
　したがって、刊行物１発明の「その始動入賞にもとづく変動表示が開始される前に、入賞時判定処理を実行することによって、大当りになるか否か判定するＣＰＵ５６の機能」は、本願発明の「前記特別遊技判定が行われる前に前記特別遊技を行うか否かの事前判定を行う事前判定手段」の機能に相当する。
（ｄ）刊行物１発明の「演出表示装置９を用いて演出表示を実行する演出制御用ＣＰＵ１０１」は、本願発明の「所定の演出を行わせる演出制御手段」に相当する。
（ｅ）刊行物１発明において、「第１保留記憶数加算指定コマンド」及び「第２保留記憶数加算指定コマンド」は、それぞれ、「第１始動口スイッチ１３ａがオンし、第１保留記憶数が上限値に達していない場合」及び「第２始動口スイッチ１４ａがオンし、第２保留記憶数が上限値に達していない場合」（構成ａ）に「送信」されるものであるから、「第１保留記憶数加算指定コマンド」及び「第２保留記憶数加算指定コマンド」は、取得条件が成立した順に送信されるものといえる。また、刊行物１発明において「第１保留記憶数表示部１８ｃ又は第２保留記憶数表示部１８ｄにおける保留記憶数の表示を更新し、表示される画像の数を１増やす」ことは、本願発明において「前記権利が保留されていることを示す保留画像を表示手段に表示する」ことに相当する。よって、刊行物１の「第１保留記憶数加算指定コマンド又は第２保留記憶数加算指定コマンドを受信すると、第１保留記憶数表示部１８ｃ又は第２保留記憶数表示部１８ｄにおける保留記憶数の表示を更新し、表示される画像の数を１増やす機能」は、本願発明の「前記取得条件が成立した順に、前記権利が保留されていることを示す保留画像を表示手段に表示する保留表示手段」の機能に相当する。
　また、刊行物１発明の「３つ又は４つの保留記憶の表示を連続予告演出の態様で表示する連続予告演出」は、本願発明の「複数の特殊保留画像を用いた保留表示演出」に相当するから、刊行物１発明において「判定対象になった保留記憶が発生した後に発生する３つ又は４つの保留記憶の表示を連続予告演出の態様で表示する連続予告演出を実行するか否かを決定」することは、本願発明の「前記取得条件の成立に基づいて、複数の特殊保留画像を用いた保留表示演出の実行を決定」することに相当する。
　したがって、刊行物１発明の「演出制御用ＣＰＵ１０１は、第１保留記憶数加算指定コマンド又は第２保留記憶数加算指定コマンドを受信すると、第１保留記憶数表示部１８ｃ又は第２保留記憶数表示部１８ｄにおける保留記憶数の表示を更新し、表示される画像の数を１増やす機能と、判定対象になった保留記憶が発生した後に発生する３つ又は４つの保留記憶の表示を連続予告演出の態様で表示する連続予告演出を実行するか否かを決定し、連続予告演出を実行する場合には、第１保留記憶数又は第２保留記憶数を変動回数カウンタにセットする機能と、を有」することは、本願発明の「前記演出制御手段は、前記取得条件が成立した順に、前記権利が保留されていることを示す保留画像を表示手段に表示する保留表示手段と、前記取得条件の成立に基づいて、複数の特殊保留画像を用いた保留表示演出の実行を決定可能な保留演出決定手段と、を有」することに相当する。
（ｆ）　刊行物１発明の「連続予告演出を実行する場合」、「保留記憶が１つ増える毎」及び「連続予告演出の態様」の「保留記憶」の画像は、それぞれ、本願発明の「前記保留演出決定手段により前記保留表示演出の実行が決定された場合」、「前記取得条件が成立する毎」及び「特殊保留画像」に相当する。
　したがって、刊行物１発明の「演出制御用ＣＰＵ１０１は」、「連続予告演出を実行する場合、保留記憶が１つ増える毎に、保留記憶の表示を連続予告演出の態様で表示」することは、本願発明の「前記保留表示手段は」、「前記保留演出決定手段により前記保留表示演出の実行が決定された場合、前記取得条件が成立する毎に、前記保留画像として、各特殊保留画像を前記表示手段に順次表示することが可能であ」ることに相当する。
（ｇ）　刊行物１発明の「連続予告演出が完結し、３つ又は４つの保留記憶の表示が連続予告演出の態様で表示される場合」は、本願発明の「前記保留表示演出において、前記複数の特殊保留画像を表示するとき」に相当する。
　また、刊行物１発明において、「飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合」は、「変動回数カウンタの値が０」となる前に発生した保留記憶については連続予告演出の態様で表示されるが、「変動回数カウンタの値が０」となった後に発生した保留記憶については連続予告演出の態様で表示されないこととなるから、刊行物１発明の「飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合」は、本願発明の「前記複数の特殊保留画像の内、１以上の特殊保留画像まで表示して前記複数の特殊保留画像を表示しないとき」に相当する。
　したがって、刊行物１発明において「連続予告演出が完結し、３つ又は４つの保留記憶の表示が連続予告演出の態様で表示される場合と、飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合とがあ」ることは、本願発明の「前記保留表示演出において、前記複数の特殊保留画像を表示するときと、前記複数の特殊保留画像の内、１以上の特殊保留画像まで表示して前記複数の特殊保留画像を表示しないときと、があ」ることに相当する。
（ｈ）　刊行物１発明において、「保留記憶の表示」を、「通常の態様とする」こと、及び「連続予告演出の態様とする」ことは、本願発明において、「前記保留画像として」、それぞれ、「通常保留画像」「を表示する」こと、及び「前記特殊保留画像を表示する」ことに相当する。
　したがって、刊行物１発明の「保留記憶の表示は、通常の態様とする場合と、連続予告演出の態様とする場合があ」ることは、本願発明の「前記保留画像として通常保留画像又は前記特殊保留画像を表示することを可能と」することに相当する。
（ｉ）刊行物１発明は、「連続予告演出が完結し、３つ又は４つの保留記憶の表示が連続予告演出の態様で表示される場合と、飾り図柄変動停止において−１される変動回数カウンタの値が０となるまでに３つ又は４つの保留記憶が発生せず、変動回数カウンタの値が０となって保留記憶の表示の態様が通常の態様に変更されて連続予告演出が完結しない場合とがあ」（構成ｇ）り、４つの保留記憶を用いた連続予告演出を実行する際に、３つの保留記憶の表示が連続予告演出の態様で表示され、４つの保留記憶の表示の全部が連続予告演出の態様で表示されない場合があることは明らかであるから、刊行物１発明において、「３つ」の数は、本願発明の「１以上の特殊保留画像まで表示して前記複数の特殊保留画像を表示しないとき」（構成Ｇ）の「１以上」の数となり得るものである。よって、刊行物１発明における「３つ」の数は、本願発明の「前記１以上」の数に相当し得る数といえる。
　刊行物１発明は、「３つの保留表示を用いた連続予告演出を実行する場合」には、「第１予告回数カウンタの値が、既に３つの保留表示を用いた演出が実行されたことを意味する４になっていないことを条件として連続予告演出を実行し、第１予告回数カウンタの値を＋１する」から、３つの保留記憶が発生し、「既に３つの保留表示を用いた演出が実行された」後に新たに発生した４つ目の保留記憶については、「連続予告演出を実行」せず、通常の態様により表示するといえる。
　また、刊行物１発明は、「連続予告演出が完結し、３つ又は４つの保留記憶の表示が連続予告演出の態様で表示される場合」（構成ｇ）があるから、刊行物１発明において、「４つの保留記憶の表示が連続予告演出の態様で表示される場合」において、３つの保留記憶の表示が連続予告演出の態様で表示されるときに新たな保留記憶が発生した場合には、４つ目の保留記憶について連続予告演出の態様で表示されるといえる。
　以上より、刊行物１発明は、構成ｇ、ｉより、３つの保留記憶を連続予告演出の態様で表示しているときに４つ目の保留記憶が発生した場合に、連続予告演出の態様で表示する場合と、通常の態様で表示する場合とがあるものといえるから、本願発明における「前記保留表示演出により前記１以上の特殊保留画像まで表示しているときに前記取得条件が成立した際、当該成立に基づく保留画像として、新たに特殊保留画像を表示する場合と前記通常保留画像を表示する場合とがある」との構成を有しているといえる。
　また、刊行物１発明の「パチンコ遊技機１」は、本願発明の「遊技機」に相当する。
　以上、（ａ）〜（ｈ）の対比より、本願発明と刊行物１発明とは、
「Ａ　取得条件の成立により取得された判定情報に基づき遊技者に有利な特別遊技を行うか否かの特別遊技判定を行う特別遊技判定手段と、
Ｂ　前記特別遊技判定の権利を記憶可能な記憶手段と、
Ｃ　前記特別遊技判定が行われる前に前記特別遊技を行うか否かの事前判定を行う事前判定手段と、
Ｄ　所定の演出を行わせる演出制御手段と、を備え、
Ｅ　前記演出制御手段は、前記取得条件が成立した順に、前記権利が保留されていることを示す保留画像を表示手段に表示する保留表示手段と、前記取得条件の成立に基づいて、複数の特殊保留画像を用いた保留表示演出の実行を決定可能な保留演出決定手段と、を有し、
Ｆ　前記保留表示手段は、
　前記保留演出決定手段により前記保留表示演出の実行が決定された場合、前記取得条件が成立する毎に、前記保留画像として、各特殊保留画像を前記表示手段に順次表示することが可能であり、
Ｇ　前記保留表示演出において、前記複数の特殊保留画像を表示するときと、前記複数の特殊保留画像の内、１以上の特殊保留画像まで表示して前記複数の特殊保留画像を表示しないときと、があり、
Ｈ　前記保留画像として通常保留画像又は前記特殊保留画像を表示することを可能とし、
Ｉ　前記保留表示演出により前記１以上の特殊保留画像まで表示しているときに前記取得条件が成立した際、当該成立に基づく保留画像として、新たに特殊保留画像を表示する場合と前記通常保留画像を表示する場合とがある
遊技機。」
である点で一致し、相違点はない。
（２）判断
　したがって、本願発明は刊行物１発明と同一であり、刊行物１に記載された発明といえる。
　また、仮に相違点があったとしても、本願発明は刊行物１発明から当業者が容易に想到することができたものであるといえる。
（３）請求人の主張について
　平成３０年１月１０日付けの意見書の【意見の内容】、「（２−２）本願請求項１と刊行物１の対比」において、請求人は、「つまり、刊行物１との対比を明確にするために、刊行物１の記載振り及び刊行物１の図３３の例を借りて説明するならば、特徴ＦＴ１を具備する本願請求項１は、図３３（Ｈ）の後、星印の可変表示が終了する前あって“熱”の保留画像及び“い”の保留画像が表示されている状態で（前記１以上の特殊保留画像まで表示しているときに）取得条件が成立した際（始動記憶が発生した際）、当該成立に基づく保留画像として、“！”の保留画像を表示する場合（新たに特殊保留画像を表示する場合）と通常の態様の保留画像を表示する場合（図３３の白丸；通常保留画像を表示する場合）とがある、といった演出方法を実現します。これは、刊行物１に示された方法とは明確に相違します（特徴ＦＴ１は刊行物１に開示も示唆もされておりません）。」との主張をしているが、上記（１）（ｉ）において示した通り、刊行物１発明は、構成ｇ、ｉより、本願発明の「前記保留表示演出により前記１以上の特殊保留画像まで表示しているときに前記取得条件が成立した際、当該成立に基づく保留画像として、新たに特殊保留画像を表示する場合と前記通常保留画像を表示する場合とがある」との構成を有しているといえるから、請求人の上記主張は、採用することができない。
６　むすび
　以上のとおりであるから、本願発明は、特許法第２９条第１項第３号、又は、特許法第２９条第２項の規定により特許を受けることができない。
　したがって、その余の請求項について検討するまでもなく、本願は、拒絶されるべきものである。
　よって、結論のとおり審決する。